(57)【要約】【課題】ディスプレイパネルを提供する。【解決手段】第１基板１１０と、第１基板１１０と離隔して対向するように配置される第２基板１２０と、第１基板１１０と第２基板１２０との間に配置されて複数の放電セル１３０を区画する隔壁１１４と、放電セル１３０の少なくとも一部分を取り囲むように隔壁１１４中に配置される第１放電電極１６０及び第２放電電極１７０と、を備え、放電セル１３０がジグザグ形状に配列されるディスプレイパネル。【選択図】図２
2007265969.tif 000002
【特許請求の範囲】
【請求項１】
第１基板と、
前記第１基板と離隔して対向するように配置される第２基板と、
前記第１基板と前記第２基板との間に配置されて複数の放電セルを区画する隔壁と、
前記放電セルの少なくとも一部分を取り囲むように前記隔壁中に配置される放電電極と、を備え、
前記放電セルがジグザグ形状に配列されるディスプレイパネル。
【請求項２】
前記それぞれの放電セルが副画素になり、複数の副画素が一つの主画素をなし、前記主画素内の副画素が三角形になるように前記放電セルが配置されることを特徴とする請求項１に記載のディスプレイパネル。
【請求項３】
前記放電セルは、前記三角形の内角が６０°になるように配列されることを特徴とする請求項３に記載のディスプレイパネル。
【請求項４】
前記放電セルの横断面の形状は、円形、楕円形および多角形からなる群から選択されたいずれか一つであることを特徴とする請求項１に記載のディスプレイパネル。
【請求項５】
前記第１基板の前記放電セルに向かう面にグルーブが形成され、前記グルーブ内に蛍光体が塗布される蛍光体層をさらに備えることを特徴とする請求項１に記載のディスプレイパネル。
【請求項６】
前記それぞれの放電電極対は、前記第１基板から前記第２基板に向う基板方向に離隔して配置される第１放電電極及び第２放電電極を備えることを特徴とする請求項１に記載のディスプレイパネル。
【請求項７】
前記第１放電電極及び前記第２放電電極は、互いに同じ方向に延長することを特徴とする請求項６に記載のディスプレイパネル。
【請求項８】
前記放電電極対に対して前記基板方向に離隔して配置され、前記放電電極対と異なる方向に延長するアドレス電極をさらに備え、
前記アドレス電極がそれぞれ延びる方向に沿って配置された各放電セルの少なくとも一部分を取り囲むことを特徴とする請求項７に記載のディスプレイパネル。
【請求項９】
前記第２基板上に、前記放電電極対と異なる方向に延長するアドレス電極をさらに備えることを特徴とする請求項７に記載のディスプレイパネル。
【請求項１０】
前記第２基板上に、前記アドレス電極を覆うように誘電物質を含んで形成される誘電体層をさらに備えることを特徴とする請求項９に記載のディスプレイパネル。
【請求項１１】
前記第１放電電極及び前記第２放電電極は、相異なる方向に延長することを特徴とする請求項６に記載のディスプレイパネル。
【請求項１２】
第１基板と、
前記第１基板と離隔して対向するように配置される第２基板と、
前記第１基板と前記第２基板との間に配置されて複数の放電セルを区画する隔壁と、
前記放電セルの少なくとも一部分を取り囲むように前記隔壁中に配置される放電電極と、
前記放電セル内部に蛍光物質を含んで形成される蛍光体層と、を備え、
前記放電セルが蛍光体層によって赤色、緑色、または青色の副画素になり、前記それぞれの赤色、緑色、または青色の副画素が主画素を形成し、
前記放電セルが、前記副画素の中心をつなぐ線が三角形になるように配置されることを特徴とするディスプレイパネル。
【請求項１３】
前記放電セルは、前記三角形の内角が６０°になるように配列されることを特徴とする請求項１２に記載のディスプレイパネル。
【請求項１４】
前記放電セルの横断面の形状は、円形、楕円形および多角形からなる群から選択されたいずれか一つであることを特徴とする請求項１２に記載のディスプレイパネル。
【請求項１５】
前記第１基板の前記放電セルに向かう面にグルーブが形成され、前記グルーブ内に蛍光体が塗布されて前記蛍光体層がなることを特徴とする請求項１３に記載のディスプレイパネル。
【請求項１６】
前記それぞれの放電電極対は、前記第１基板から前記第２基板に向う基板方向に離隔して配置される第１放電電極及び第２放電電極を備えることを特徴とする請求項１２に記載のディスプレイパネル。
【請求項１７】
前記第１放電電極と前記第２放電電極とは、互いに同じ方向に延長することを特徴とする請求項１６に記載のディスプレイパネル。
【請求項１８】
前記放電電極対に対して前記基板方向に離隔して配置され、前記放電電極対と異なる方向に延長するアドレス電極をさらに備え、
前記アドレス電極は、それぞれ延びる方向に沿って配置された各放電セルの少なくとも一部分を取り囲むことを特徴とする請求項１７に記載のディスプレイパネル。
【請求項１９】
前記第２基板上に、前記放電電極対と異なる方向に延長するアドレス電極をさらに備えることを特徴とする請求項１７に記載のディスプレイパネル。
【請求項２０】
前記第２基板上に、前記アドレス電極を覆うように誘電物質を含んで形成される誘電体層をさらに備えることを特徴とする請求項１９に記載のディスプレイパネル。
【請求項２１】
前記第１放電電極と前記第２放電電極とは、相異なる方向に延長することを特徴とする請求項１６に記載のディスプレイパネル。
【発明の詳細な説明】
【技術分野】
【０００１】
本発明は、ディスプレイパネルに係り、より詳細には、放電空間を最大化させることによって、放電の強度及び放電効率を向上させうる新構造ディスプレイパネルに関する。
【背景技術】
【０００２】
最近、様々なディスプレイパネルのうち、プラズマディスプレイパネル（Ｐｌａｓｍａ  Ｄｉｓｐｌａｙ  Ｐａｎｅｌ：以下、ＰＤＰ）が従来の陰極線管ディスプレイ装置を代替するものとして注目されている。ＰＤＰは、複数の放電電極が形成された二枚の基板間に放電ガスが封入され、放電電極に放電電圧が加えられ、これによって発生する紫外線により所定のパターンで形成された蛍光体が励起されて、所望の画像を得る装置である。
【０００３】
図１は、一般的なＰＤＰの分離斜視図である。
【０００４】
図面を参照すれば、通常の交流型ＰＤＰ１０は、ユーザーに画像を見せる上板５０とこれと平行に結合される下板６０とを備える。上板５０の前面基板１１には、Ｘ電極３１とＹ電極３２とが対をなす維持電極対１２が配置される。前面基板１１の維持電極対１２が配置された面に対向する下板６０の背面基板２１には、アドレス電極２２が前面基板１１の電極３１，３２と交差して配置される。
【０００５】
維持電極対１２が備わった前面基板１１と、アドレス電極２２が備わった背面基板２１との各面には各電極を埋め込むように、それぞれ第１誘電体層１５及び第２誘電体層２５が形成される。第１誘電体層１５の背面には通常ＭｇＯからなる保護層１６が形成され、第２誘電体層２５の前面には放電距離を維持し、放電セル間の電気的光学的クロストークを防止する隔壁３０が形成される。
【０００６】
隔壁３０の両側面と、隔壁３０が形成されない第２誘電体層２５の前面とには、赤色、緑色、青色発光蛍光体２６らが塗布される。
【０００７】
このような一般的な面放電ＰＤＰ１０には、放電時に放電空間の蛍光体１６から発光された可視光線が上板５０を通過するが、上板５０に形成された多様な構成要素によって、可視光線の透過率がわずか６０％程度であるという問題点がある。
【０００８】
また、通常の面放電ＰＤＰ１０では、放電を起こす電極が放電空間の上面、すなわち、可視光線が通過する上板５０の内側面に形成されて、放電がその内側面で発生して広がるので、発光効率が低くなるという問題点がある。
【０００９】
また、従来の面放電ＰＤＰ１０では、長時間使用する場合、放電ガスの荷電粒子が電界により蛍光体にイオンスパッタリングを起こすことによって永久残像を引き起こす問題点がある。
【００１０】
さらに、格子型放電セルを備えるストライプ状の放電セル構造を持つＰＤＰでは、放電空間の直径がセルピッチによって決定されるので、放電空間が一定以上の大きさを持つことができない。特に、ＰＤＰでは、放電電極を取り囲む放電空間の直径によって放電の強度及び発光効率が決定されうるので、問題になりうる。
【発明の開示】
【発明が解決しようとする課題】
【００１１】
本発明は、放電電極が放電空間を取り囲む形態の構造と、放電空間が水平軸に対して所定角度を持って交差する構造を持つことによって、放電空間を拡大して放電の強度及び放電効率を向上させうるディスプレイパネルを提供することを目的とする。
【課題を解決するための手段】
【００１２】
本発明は、第１基板と、前記第１基板と離隔して対向するように配置される第２基板と、前記第１基板と前記第２基板との間に配置されて複数の放電セルを区画する隔壁と、前記放電セルの少なくとも一部分を取り囲むように前記隔壁中に配置される放電電極と、を備え、前記放電セルがジグザグ形状に配列されるディスプレイパネルを提供する。
【００１３】
前記放電セルの横断面の形状は、円形または楕円形であることが望ましい。
【００１４】
前記それぞれの放電セルが副画素になり、複数の副画素が一つの主画素をなし、前記放電セルが前記主画素内の副画素が三角形になるように配置されることが望ましい。
【００１５】
前記放電セルは、前記三角形の内角が６０°になるように配列されることが望ましい。
【００１６】
前記第１基板の前記放電セルに向かう面にグルーブが形成され、前記グルーブ内に蛍光体が塗布される蛍光体層をさらに備えることが望ましい。
【００１７】
前記放電電極は、前記隔壁内に配置されることが望ましい。
【００１８】
前記それぞれの放電電極対は、前記第１基板から前記第２基板に向う基板方向に離隔して配置される第１放電電極及び第２放電電極を備えることが望ましい。
【００１９】
前記第１放電電極及び前記第２放電電極は、相異なる方向に延長することが望ましい。
【００２０】
前記第１放電電極及び前記第２放電電極は、互いに同じ方向に延長することが望ましい。
【００２１】
前記放電電極対に対して前記基板方向に離隔して配置され、前記放電電極対と異なる方向に延長するアドレス電極をさらに備え、前記アドレス電極がそれぞれ延びる方向に沿って配置された各放電セルの少なくとも一部分を取り囲むことが望ましい。
【００２２】
前記第２基板上に、前記放電電極対と異なる方向に延長するアドレス電極をさらに備えることが望ましい。
【００２３】
前記第２基板上に、前記アドレス電極を覆うように誘電物質を含んで形成される誘電体層をさらに備えることが望ましい。
【００２４】
本発明の他の側面は、第１基板と、前記第１基板と離隔して対向するように配置される第２基板と、前記第１基板と前記第２基板との間に配置されて複数の放電セルを区画する隔壁と、前記放電セルの少なくとも一部分を取り囲むように前記隔壁中に配置される放電電極と、前記放電セル内部に蛍光物質を含んで形成される蛍光体層と、を備え、前記放電セルが蛍光体層によって赤色、緑色、または青色の副画素になり、前記それぞれの赤色、緑色、または青色の副画素が主画素を形成し、前記放電セルが、前記副画素の中心をつなぐ線が所定角度に交差するように配列されるディスプレイパネルを提供する。
【００２５】
前記放電セルは、前記主画素内の副画素の中心をつなぐ線が三角形になるように配置されることが望ましい。
【００２６】
本発明のさらに他の側面は、第１基板と、前記第１基板と離隔して対向するように配置される第２基板と、前記第１基板と前記第２基板との間の空間に、一つの主画素を形成する副画素が互いに交差して配列されるように放電セルを区画する隔壁と、前記放電セルの少なくとも一部分を取り囲むように前記隔壁中に配置される放電電極と、前記放電セルの内部に蛍光物質を含んで形成される蛍光体層と、を備えるディスプレイパネルを提供する。
【００２７】
前記放電セルは、蛍光体層によって赤色、緑色、または青色の副画素になり、前記それぞれの赤色、緑色、または青色の副画素が主画素を形成し、前記放電セルは、前記副画素の中心をつなぐ線が所定角度で交差するように配列されることが望ましい。
【発明の効果】
【００２８】
本発明のディスプレイパネルによれば、放電電極が放電空間を取り囲む形態の構造と、放電空間が水平軸に対して所定角度を持って交差する構造とを持つことによって、放電空間を拡大して放電の強度及び放電効率を向上させうる。
【発明を実施するための最良の形態】
【００２９】
以下、添付された図面を参照して、本発明の望ましい実施形態によるＰＤＰと、これを備えるディスプレイ装置とについて詳細に説明する。
【００３０】
図２は、本発明の望ましい実施形態によるＰＤＰの部分分離斜視図である。図３は、図２のＰＤＰで、放電空間と電極の配置を概略的に図示した配置図である。図４は、図２のＰＤＰで、断面ＩＶ−ＩＶを概略的に図示した断面図である。図５は、本発明の望ましい他の実施形態によるＰＤＰで、放電空間と電極の配置を概略的に図示した配置図である。
【００３１】
図面を参照すれば、望ましい一実施形態によるＰＤＰ１００は、第１基板１１０、第２基板１２０、隔壁１１４、第１放電電極１６０、第２放電電極１７０、蛍光体層１２５、及び保護層１１５を備える。
【００３２】
第１基板１１０は、通常的には、ガラスを主成分とする透光性の優秀な素材で製造される。ただし、反射輝度を減少させることによって明室コントラストを向上させるために、第１基板１１０を着色することもある。
【００３３】
また、第２基板１２０は、第１基板１１０から所定の間隔で離隔して対向するように配置され、第１基板１１０との間に複数の放電セル１３０及び非放電セル（図示せず）を限定する。放電セル１３０は、実質的に放電が発生する空間である。第２基板１２０は、ガラスのように透光性の優秀な材料で製造され、着色されることもある。
【００３４】
本実施形態の場合、放電セル１３０で生成された可視光が第１基板１１０を通じて外部に出射されうる。このとき、可視光が投射される第１基板１１０には、図１のＰＤＰ１０の前面基板１１に存在した維持電極対１２（Ｘ電極３１、Ｙ電極３２）、第１誘電体層１５、保護層１６が存在しないために、可視光線の前方透過率が顕著に向上する。したがって、本発明によるＰＤＰ１００を従来レベルの輝度で画像を具現する場合、第１放電電極１６０、第２放電電極１７０を相対的に低い電圧で駆動できる。
【００３５】
図２及び図３を参照すれば、第１基板１１０と第２基板１２０との間には放電セル１３０を区画し、隣接する放電セル１３０間の電気的、光学的クロストークを防止するために配置される隔壁１１４が形成される。本実施形態で、隔壁１１４は、円形の横断面を持つ放電セル１３０を区画するような形状が図示されている。しかし、本発明はこれに限定されず、放電セル１３０は、楕円形を含む多様な形状を持つことができる。
【００３６】
すなわち、隔壁１１４は複数の放電セル１３０を区画できるかぎり、多様なパターンになりうる。例えば、隔壁１１４は、放電セル１３０の横断面が、円形以外にも、三角形、四角形、五角形などの多角形、または楕円形などになるように形成されうる。
【００３７】
本発明では、放電セル１３０をジグザグ形状に配列して、所定のパネル面積に対して放電空間を極大化させる。これにより、放電空間の拡大で輝度が上昇し、放電効率を上昇させることができる。
【００３８】
特に、本実施形態のように、電極が放電空間を取り囲む形態である場合に、放電空間の直径により放電の強度及び発光の程度が左右される。本発明は電極が放電空間を取り囲む形態のリング放電によるＰＤＰで、赤色、緑色、青色の放電セルを配列するに当たって、赤色、緑色、青色の放電セルの配列をジグザグに交差して配列させて、放電空間を極大化させることができる。このとき、第１放電電極１６０及び第２放電電極１７０は、図３に図示されたように、交差した赤色、緑色、青色の放電セルの配列に沿ってジグザグに接しつつ連結される。
【００３９】
放電セル１３０が蛍光体層の種類によって赤色、緑色、青色の副画素１３０Ｒ，１３０Ｇ、１３０Ｂになり、それぞれの赤色、緑色、青色の副画素１３０Ｒ，１３０Ｇ、１３０Ｂが主画素を形成する。放電セル１３０Ｒ，１３０Ｇ、１３０Ｂは、前記副画素の中心をつなぐ線が所定角度で交差するように配列される。このとき、前記主画素内の副画素の中心をつなぐ線が三角形になりうる。望ましくは、放電セル１３０が前記三角形の内角が６０°になるように配列されて、デルタ配列になりうる。
【００４０】
第１放電電極１６０及び第２放電電極１７０は、隔壁１１４の内部に配置されている。他の実施形態として、第１放電電極１６０及び第２放電電極１７０は、隔壁１１４の外部に配置され、その上に誘電体層と保護層とが形成されることもある。
【００４１】
第１放電電極１６０及び第２放電電極１７０は、互いに対をなして放電セル１３０で放電を起こす。各第１放電電極１６０及び第２放電電極１７０は、第１方向（Ｘ方向）に沿って配置された放電セル１３０を取り囲みつつ第１方向に延長する。第２放電電極１７０は、第１放電電極１６０に対して隔壁１１４内で第１基板１１０に垂直方向（ｚ方向）に離隔して平行に配置される。
【００４２】
第１放電電極１６０及び第２放電電極１７０は、放電セル１３０の少なくとも一部分を取り囲むが、一部または全体を取り囲むようにも形成されうる。なお、放電セル１３０を取り囲む第１放電電極１６０及び第２放電電極１７０は、図示したように円形ループ形状に限定されない。四角形ループ形状などの多様な形状を持つことができ、望ましくは、放電セル１３０の横断面と実質的に同じ形状を持つ。
【００４３】
また、アドレス電極１５０は、第１放電電極１６０及び第２放電電極１７０と交差するように第２方向（Ｙ方向）に配置されている。アドレス電極１５０は、隔壁１１４内で第１放電電極１６０、第２放電電極１７０の間に第１基板１１０から第２基板１２０に向う基板方向（ｚ方向）に離隔して配置されている。
【００４４】
アドレス電極１５０は、第１放電電極１６０及び第２放電電極１７０のように放電セル１３０の少なくとも一部分を取り囲むが、一部または全体を取り囲むように形成できる。図２ないし図４には、アドレス電極１５０が放電セル全部を取り囲む実施形態が図示されており、図５には、アドレス電極２５０が放電セルの一部、すなわち、半分を取り囲む実施形態が図示されている。
【００４５】
本実施形態では、アドレス放電電圧を低めるために、前記基板方向（ｚ方向）を基準に第２放電電極１７０、アドレス電極１５０（２５０）、第１放電電極１６０が順次配置されている。
【００４６】
しかし、本発明はこれに限定されず、アドレス電極１５０（２５０）が第１基板１１０に最も近く配置されることもあり、または最も遠く配置されることもあり、さらには、第２基板１２０内に形成されることもある。アドレス電極１５０（２５０）は、第１放電電極１６０と第２放電電極１７０との維持放電をさらに容易にするためのアドレス放電を起こすためのものであり、より具体的には、維持放電が発生する電圧を低める役割を担う。
【００４７】
アドレス放電は、走査電極とアドレス電極との間に起こる放電であり、アドレス放電が終了すれば、走査電極側に陽イオンが蓄積され、共通電極側に電子が蓄積され、これにより、走査電極と共通電極との間の維持放電がさらに容易になる。本実施形態では、第１放電電極１６０は走査電極として作用し、第２放電電極１７０は共通電極として作用するが、本発明はこれに限定されない。
【００４８】
第１放電電極１６０及び第２放電電極１７０は、直接的に可視光透過率を低下させる位置に配置されていないために、アルミニウム、銅のような導電性金属で形成されうる。したがって、第１放電電極１６０及び第２放電電極１７０の長手方向への電圧降下が小さいために、安定した信号伝達が可能になる。
【００４９】
隔壁１１４内に第１放電電極１６０及び第２放電電極１７０が埋め込まれているので、隔壁１１４は、隣接した第１放電電極１６０と第２放電電極１７０との間に直接通電されることと、陽イオンまたは電子が第１放電電極１６０、第２放電電極１７０に直接衝突して第１放電電極１６０、第２放電電極１７０を損傷させることを防止しつつも、電荷を誘導して壁電荷を蓄積できる誘電体で形成されることが望ましい。
【００５０】
隔壁１１４の側面には、保護層１１５が形成されている。保護層１１５は、プラズマ粒子のスパッタリングにより誘電体で形成された隔壁１１４と、第１放電電極及び第２放電電極１７０とが損傷することを防止し、二次電子を放出して放電電圧を低める役割を担う。保護層１１５は、隔壁１１４の側面及び上面に酸化マグネシウム（ＭｇＯ）を所定の厚さに蒸着することで形成されうる。
【００５１】
各放電セル１３０に向かう第１基板１１０上には、所定の深さを持つようにグルーブ（ｇｒｏｏｖｅｓ）１１０ａが形成されている。グルーブ１１０ａは、各放電セル１３０ごとに不連続的に形成されており、グルーブ１１０ａ内に蛍光体層１２５が配置されている。
【００５２】
一方、蛍光体層の配置位置は、前述したところに限定されずに多様な位置に配置されうる。例えば、蛍光体層１２５が隔壁１１４の側面に配置されることもある。このような蛍光体層は、紫外線を受けて可視光線を発生する成分を持つが、赤色発光放電セルに形成された蛍光体層は、Ｙ（Ｖ，Ｐ）Ｏ４：Ｅｕのような蛍光体を含み、緑色発光放電セルに形成された蛍光体層は、Ｚｎ２ＳｉＯ４：Ｍｎ、ＹＢＯ３：Ｔｂのような蛍光体を含み、青色発光放電セルに形成された蛍光体層は、ＢＡＭ：Ｅｕのような蛍光体を含む。
【００５３】
放電セル１３０内には、Ｎｅ、Ｘｅ及びこれらの混合気体のような放電ガスが封入される。本実施形態の場合、放電面が増加して放電領域が拡大できて、形成されるプラズマの量が増加するので、低電圧駆動が可能になる。したがって、高濃度のＸｅガスを放電ガスとして使用しても、低電圧駆動が可能になることで発光効率を画期的に向上させることができる。このような点は、従来のＰＤＰで高濃度のＸｅガスを放電ガスとして使用する場合、低電圧駆動が非常に難しくなるという問題点を解決したものである。
【００５４】
以下では、ＰＤＰ１００を製造する方法について詳細に説明する。
【００５５】
まず、実質的に扁平な基板を準備する。前記扁平な基板をエッチングまたはサンドブラストして、それぞれグルーブ１１０ａを形成して第１基板１１０を形成する。その後に、蛍光体層用ペーストをグルーブ１１０ａ内にそれぞれ塗布し、乾燥及び焼成して蛍光体層１２５を形成する。
【００５６】
また、前記の工程と併行的に隔壁シート形成工程を行う。ここで、隔壁シートは、隔壁１１４、第１放電電極１６０、第２放電電極１７０、及び保護層１１５が一体化した部材を意味する。
【００５７】
隔壁シートを製造した後には、第１基板１１０及び第２基板１２０と隔壁シートとをアラインして配置した後、フリットなどを利用して封着工程を行う。その後に、排気／放電ガス注入工程を連続的に行ってＰＤＰを製造する。排気／放電ガス注入工程後にエージングなどの多様な後処理工程を行いうる。
【００５８】
前記のような構成を持つ本発明の一実施形態によるＰＤＰ１００の駆動方法は、次の通りである。
【００５９】
まず、第１放電電極１６０とアドレス電極１５０（２５０）との間にアドレス放電が起き、このアドレス放電の結果として、維持放電が起きる放電セル１３０が選択される。その後、前記選択された放電セル１３０の第１放電電極１６０と第２放電電極１７０との間に交流の維持電圧が印加されれば、第１放電電極１６０と第２放電電極１７０との間に維持放電が起きる。この維持放電によって励起された放電ガスのエネルギー準位が低くなりつつ紫外線が放出される。そして、この紫外線が蛍光体層１２５を励起させるが、この励起された蛍光体層１２５のエネルギー準位が低くなりつつ可視光が放出され、この放出された可視光が画像を構成する。
【００６０】
従来のＰＤＰ１０においては、維持電極対１２（Ｘ電極３１、Ｙ電極３２）間の維持放電が水平方向に起きて放電面積が相対的に狭小である。しかし、本実施形態によるＰＤＰ１００の維持放電は、放電セル１３０を限定するあらゆる側面で起きるだけでなく、放電面積が相対的に広いという長所がある。
【００６１】
また、本実施形態での維持放電は、放電セル１３０の側面に沿って閉曲線で形成されていて、順次に放電セル１３０の中央部に広がる。これによって、維持放電が起きる領域の嵩が増加し、また従来にはよく使われていない放電セル内の空間電荷も発光に寄与する。このような事項は、ＰＤＰの発光効率の向上という結果になる。特に、本実施形態で、放電セル１３０の横断面が円形であるため、放電セル１３０のあらゆる側面で維持放電が均一に発生するという長所を持つ。
【００６２】
また、維持放電が放電セル１３０の中心部分でのみ行われるので、従来のＰＤＰ１０の問題点であった荷電粒子による蛍光体のイオンスパッタリングが防止され、これによって同じ画像を長時間表示しても永久残像が生じないという長所がある。
【００６３】
図６は、本発明の望ましい他の実施形態によるＰＤＰの部分分離斜視図である。図７は、図６のＰＤＰで、放電空間と電極の配置を概略的に図示した配置図である。図８は、図６のＰＤＰで、断面ＶＩＩＩ−ＶＩＩＩを概略的に図示した断面図である。
【００６４】
図面を参照すれば、本実施形態によるＰＤＰ３００は、第１基板３１０、第２基板３２０、隔壁３１４、第１放電電極３６０、第２放電電極３７０、及び蛍光体層３２５を備える。
【００６５】
第２基板３２０は、第１基板３１０と所定間隔離隔して対向するように配置される。隔壁３１４は、第１基板３１０と第２基板３２０との間の空間に一つの主画素を形成する副画素３３０Ｒ，３３０Ｇ，３３０Ｂが互いに交差して配列されるように放電セル３３０を区画する。第１放電電極３６０、第２放電電極３７０は、放電セル３３０の少なくとも一部分を取り囲むように隔壁３１４に配置される。
【００６６】
蛍光体層３２５は、放電セル３３０の内部に蛍光物質を含んで形成される。すなわち、第１基板３１０の放電セルに向かう面にグルーブ３１０ａが形成され、蛍光体層３２５は、グルーブ３１０ａ内に蛍光体が塗布されてなる。
【００６７】
第１放電電極３６０及び第２放電電極３７０は、隔壁３１４の内部に配置されている。第１放電電極３６０は、第２放電電極３７０と対をなして放電セル３３０で放電を起こす。第２放電電極３７０は、第１放電電極３６０が延びる第１方向（Ｘ方向）と交差する第２方向（Ｙ方向）に沿って配置された放電セル３３０を取り囲みつつ延び、隔壁３１４内で基板３１０に垂直方向（ｚ方向）に離隔して配置される。このとき、第２放電電極３７０は、第１放電電極３６０より基板３１０に隣接するように配置されるが、本発明はこれに限定されない。
【００６８】
各第２放電電極３７０は、放電セル３３０を取り囲む円形の環状を持つ。しかし、第２放電電極３７０の形状はこれに限定されず、四角形ループ形状などの多様な形状を持つことができ、望ましくは、放電セル３３０の横断面と実質的に同じ形状を持つ。
【００６９】
本実施形態によるＰＤＰ３００では、２電極構造をなす。したがって、第１放電電極３６０と第２放電電極３７０のうち一つは走査電極及び維持電極の作用を行い、他の一つはアドレッシング電極及び維持電極の作用を行う。しかし、本発明は２電極構造に限定されず、３電極構造を持つことができる。
【００７０】
本発明では、放電セル３３０をジグザグ形状に配列させて、所定のパネル面積に対して放電空間を極大化させる。それにより、放電空間の拡大で輝度が上昇し、放電効率を上昇させることができる。
【００７１】
特に、本実施形態のように電極が放電空間を取り囲む形態である場合に、放電空間の直径により放電の強度及び発光の程度が左右される。本発明は、電極が放電空間を取り囲む形態のリング放電によるＰＤＰで、赤色、緑色、青色の放電セルを配列するに当たって、赤色、緑色、青色の放電セルの配列をジグザグに交差して配列させて、放電空間を極大化させることができる。このとき、第１放電電極３６０及び第２放電電極３７０は、図７に図示されたように、交差した赤色、緑色、青色の放電セルの配列に沿ってジグザグに接しつつ連結される。
【００７２】
放電セル３３０は、蛍光体層の種類によって赤色、緑色、青色の副画素３３０Ｒ，３３０Ｇ，３３０Ｂになり、それぞれの赤色、緑色、青色の副画素３３０Ｒ，３３０Ｇ，３３０Ｂが主画素を形成する。放電セル３３０Ｒ，３３０Ｇ，３３０Ｂが、前記副画素の中心をつなぐ線が所定角度で交差するように配列される。このとき、前記主画素内の副画素の中心をつなぐ線が三角形になりうる。望ましくは、放電セル３３０は、前記三角形の内角が６０°になるように配列されて、デルタ配列になりうる。
【００７３】
図９は、本発明の望ましい他の実施形態によるＰＤＰで、放電空間と電極の配置を概略的に図示した配置図である。図１０は、図９のＰＤＰで、横断面を概略的に図示した断面図である。
【００７４】
図面を参照すれば、本実施形態によるＰＤＰ４００は、第１基板４１０、第２基板４２０、隔壁４１４、第１放電電極４６０、第２放電電極４７０、アドレス電極４５０、誘電体層４５１、及び蛍光体層４２５を備える。本実施形態は、図２ないし図４に図示された実施形態または図６ないし図８に図示された実施形態の変形例であり、以下で説明する事項以外はこれらを参照することとし、説明を省略する。
【００７５】
放電セル４３０は、蛍光体層の種類によって赤色、緑色、青色の副画素４３０Ｒ，４３０Ｇ，４３０Ｂになり、それぞれの赤色、緑色、青色の副画素４３０Ｒ，４３０Ｇ，４３０Ｂが副画素を形成する。放電セル４３０Ｒ，４３０Ｇ,４３０Ｂは、前記副画素の中心をつなぐ線が所定角度で交差するように配列される。このとき、前記主画素内の副画素の中心をつなぐ線が三角形になりうる。望ましくは、放電セル４３０が前記三角形の内角が６０°になるように配列されて、デルタ配列になりうる。
【００７６】
第１放電電極４６０及び第２放電電極４７０は、隔壁４１４の内部に配置されている。第１放電電極４６０及び第２放電電極４７０は互いに対をなして放電セル４３０で放電を起こす。各第１放電電極４６０及び第２放電電極４７０は、第１方向（Ｘ方向）に沿って配置された放電セル４３０を取り囲みつつ延びる。第２放電電極４７０は、第１放電電極４６０に対して、隔壁４１４内で第１基板４１０に垂直方向（ｚ方向）に離隔して配置される。
【００７７】
アドレス電極４５０は、第２基板４２０上に第１放電電極４６０及び第２放電電極４７０と異なる方向に延長する。誘電体層４５１は、第２基板４２０上にアドレス電極４５０を覆うように誘電物質を含んでなる。
【００７８】
本発明は、図面に図示された実施形態を参考して説明されたが、これは例示的なものに過ぎず、当業者ならば、これより多様な変形及び均等な他の実施形態が可能であるという点を理解できるであろう。したがって、本発明の真の技術的保護範囲は、特許請求の範囲の技術的思想によって定められねばならない。
【産業上の利用可能性】
【００７９】
本発明のディスプレイパネルは、例えば、ディスプレイ関連の技術分野に好適に用いられる。
【図面の簡単な説明】
【００８０】
【図１】一般的なＰＤＰの分離斜視図である。
【図２】本発明の望ましい実施形態によるＰＤＰの部分分離斜視図である。
【図３】図２のＰＤＰで、放電空間と電極の配置とを概略的に示す配置図である。
【図４】図２のＰＤＰで、断面ＩＶ−ＩＶを概略的に示す断面図である。
【図５】本発明の望ましい他の実施形態によるＰＤＰで、放電空間と電極の配置とを概略的に示す配置図である。
【図６】本発明の望ましい他の実施形態によるＰＤＰの部分分離斜視図である。
【図７】図６のＰＤＰで、放電空間と電極の配置とを概略的に示す配置図である。
【図８】図６のＰＤＰで、断面ＶＩＩＩ−ＶＩＩＩを概略的に示す断面図である。
【図９】本発明の望ましい他の実施形態によるＰＤＰで、放電空間と電極の配置とを概略的に示す配置図である。
【図１０】図９のＰＤＰで、横断面を概略的に示す断面図である。
【符号の説明】
【００８１】
１００、３００、４００    ＰＤＰ、
１１０、３１０、４１０    第１基板、
１２０、３２０、４２０    第２基板、
１１４、３１４、４１４    隔壁、
１５０、２５０、４５０    アドレス電極、
１６０、３６０、４６０    第１放電電極、
１７０、３７０、４７０    第２放電電極。
【図１】
2007265969.tif 000003
【図２】
2007265969.tif 000004
【図３】
2007265969.tif 000005
【図４】
2007265969.tif 000006
【図５】
2007265969.tif 000007
【図６】
2007265969.tif 000008
【図７】
2007265969.tif 000009
【図８】
2007265969.tif 000010
【図９】
2007265969.tif 000011
【図１０】
2007265969.tif 000012